(57)【要約】【課題】  タクタイルスイッチの上部にボタン部材を配置した状態でも、タクタイルスイッチが破損し難い押しボタンスイッチ構造を提供する。【解決手段】  押しボタン部材２は、ハウジング１上に露出する第１ボタン部材２１と、当該第１ボタン部材２１とタクタイルスイッチ３の間に配置される第２ボタン部材２２とを有し、第２ボタン部材２２を基部が第１ボタン部材２１に係合すると共に先端がタクタイルスイッチ３に当接してオン操作する連携部材２３と、タクタイルスイッチ３のオン動作圧を超えた一定圧以上の押下圧が第１ボタン部材２１に発生したら、収縮することで圧力を吸収するコイルバネ２４とで構成した。【選択図】  図１
2015095410.tif 000002
【特許請求の範囲】
【請求項１】
電気機器のハウジングに形成された孔に配置されて押下操作を受けて没入動作する押しボタン部材と、前記孔の奥部に配置されたタクタイルスイッチとを有し、前記押しボタン部材が押下されると前記タクタイルスイッチがオン動作する押しボタンスイッチ構造であって、
前記押しボタン部材は、前記ハウジング上に露出する第１ボタン部材と、当該第１ボタン部材と前記タクタイルスイッチの間に配置される第２ボタン部材とを有し、
前記第２ボタン部材は、基部が前記第１ボタン部材に係合すると共に、先端が前記タクタイルスイッチに当接してオン操作する連携部材と、前記タクタイルスイッチのオン動作圧を超えた一定圧以上の押下圧が前記第１ボタン部材に発生したら、収縮することで圧力を吸収する弾性部材とを備えて成ることを特徴とする押しボタンスイッチ構造。
【請求項２】
前記第１ボタン部材は、一定量押下されると前記ハウジングに係合してストロークを規制する段部を有することを特徴とする請求項１記載の押しボタンスイッチ構造。
【請求項３】
前記連携部材は、押下操作方向に移動可能な状態で前記第１ボタン部材に連結されると共に、前記タクタイルスイッチに当接する先端部に平坦な押圧板を備え、
前記弾性部材が、前記第１ボタン部材と前記押圧板の間の前記連携部材胴部に外挿されたコイルバネであることを特徴とする請求項１又は２記載の押しボタンスイッチ構造。
【発明の詳細な説明】
【技術分野】
【０００１】
本発明は、漏電遮断器等の電気機器に設けられているテストボタンやリセットボタン等に好適な押しボタンスイッチ構造に関する。
【背景技術】
【０００２】
漏電遮断器に設けられているテストボタンやリセットボタン等のボタンスイッチには、内部に設けたタクタイルスイッチをボタン部材を押下して操作するものがある。例えば特許文献１では、プリント配線板にタクタイルスイッチが組み付けられ、ハウジング上部に設けたボタン部材を押下することで、このタクタイルスイッチをオンさせるよう構成され、限られたスペースでのボタンの組み付けを可能とした。
【先行技術文献】
【特許文献】
【０００３】
【特許文献１】特許第５２５８６７０号公報
【発明の概要】
【発明が解決しようとする課題】
【０００４】
タクタイルスイッチは通常プリント基板上に設置され、押下操作を受けてオン動作する小型のスイッチであるため、強い押下力を受けると破損し易い。そのため、上記特許文献１ではボタン部材で直接タクタイルスイッチを操作せず、弾性を持たせたレバーを介在させてタクタイルスイッチの押圧力を一定以上の圧力が加わらないようにした。
しかしながら、このレバーを介在させる構成の場合、ボタン部材とタクタイルスイッチは重ねて設置できないため、ボタン部材の配置に広いスペースが必要であり、タクタイルスイッチを使用するメリットを十分生かしてはいなかった。
【０００５】
そこで、本発明はこのような問題点に鑑み、タクタイルスイッチの上部にボタン部材を配置した状態でも、タクタイルスイッチが破損し難い押しボタンスイッチ構造を提供することを目的としている。
【課題を解決するための手段】
【０００６】
上記課題を解決する為に、請求項１の発明は、含む電気機器のハウジングに形成された孔に配置されて押下操作を受けて没入動作する押しボタン部材と、前記孔の奥部に配置されたタクタイルスイッチとを有し、前記押しボタン部材が押下されると前記タクタイルスイッチがオン動作する押しボタンスイッチ構造であって、前記押しボタン部材は、前記ハウジング上に露出する第１ボタン部材と、当該第１ボタン部材と前記タクタイルスイッチの間に配置される第２ボタン部材とを有し、前記第２ボタン部材は、基部が前記第１ボタン部材に係合すると共に、先端が前記タクタイルスイッチに当接してオン操作する連携部材と、前記タクタイルスイッチのオン動作圧を超えた一定圧以上の押下圧が前記第１ボタン部材に発生したら、収縮することで圧力を吸収する弾性部材とを備えて成ることを特徴とする。
この構成によれば、タクタイルスイッチの上部に配置した押しボタン部材が押下されると没入してタクタイルスイッチがオン動作するが、タクタイルスイッチに接触する第２ボタン部材はタクタイルスイッチのオン動作圧を超えた一定の圧力を超える力で押下されると収縮する。そのため、第２ボタン部材がタクタイルスイッチの押圧力を制限し、押しボタン部材とタクタイルスイッチを重ねて最小のスペースで配置しても、タクタイルスイッチに一定圧以上のストレスが加わることがなく、タクタイルスイッチの破損を防止できる。
【０００７】
請求項２の発明は、請求項１に記載の構成において、前記第１ボタン部材は、一定量押下されると前記ハウジングに係合してストロークを規制する段部を有することを特徴とする。
この構成によれば、第１ボタン部材の押し込み方向のストロークは、段部により一定量に制限されるため、弾性部材が弾性範囲を超えて収縮される事態を防止できるし、最小のスペースで押しボタンを組み付けできる。
【０００８】
請求項３の発明は、請求項１又は２に記載の構成において、前記連携部材は、押下操作方向に移動可能な状態で前記第１ボタン部材に連結されると共に、前記タクタイルスイッチに当接する先端部に平坦な押圧板を備え、前記弾性部材が、前記第１ボタン部材と前記押圧板の間の前記連携部材胴部に外挿されたコイルバネであることを特徴とする。
この構成によれば、連携部材は第１ボタン部材に連結された状態でその押下方向に移動可能なため、コイルバネの収縮を受けて第１ボタン部材に入り込むことが可能で、良好に圧力を吸収できる。
【発明の効果】
【０００９】
本発明によれば、タクタイルスイッチの上部に配置した押しボタン部材が押下されると没入してタクタイルスイッチがオン動作するが、タクタイルスイッチに接触する第２ボタン部材はタクタイルスイッチのオン動作圧を超えた一定の圧力を超える力で押下されると収縮する。そのため、第２ボタン部材がタクタイルスイッチの押圧力を制限し、押しボタン部材とタクタイルスイッチを重ねて最小のスペースで配置しても、タクタイルスイッチに一定圧以上のストレスが加わることがなく、タクタイルスイッチの破損を防止できる。
【図面の簡単な説明】
【００１０】
【図１】本発明に係る押しボタンスイッチ構造の一例を示し、押下操作前の断面説明図である。
【図２】図１の押下操作後の断面説明図である。
【発明を実施するための形態】
【００１１】
以下、本発明を具体化した実施の形態を、図面を参照して詳細に説明する。図１は本発明に係る押しボタンスイッチ構造の一例を示す断面説明図であり、押下操作していない定常状態を示している。図１において、１は漏電遮断器のハウジング、２は押しボタン部材、３はタクタイルスイッチ、４はタクタイルスイッチを組み付けたプリント基板であり、この押しボタンスイッチは、主に漏電遮断器のテストボタンやリセットボタンに使用される。尚、押しボタン２の押下方向を下方として以下説明する。
【００１２】
押しボタン部材２は、ハウジング１上に露出して操作者により上面が押下操作される第１ボタン部材２１と、この第１ボタン部材２１の下部に配置されて、ハウジング１に形成された孔１１に挿通され、下端がタクタイルスイッチ３に接触してタクタイルスイッチ３をオン動作させる第２ボタン部材２２とで構成されている。
第２ボタン部材は、更に第１ボタン部材２１に連結される連携部材２３と、押下された第１ボタン部材２１を復帰させると共に、タクタイルスイッチ３に対する押圧力を制限するためのコイルバネ２４とで構成されている。
【００１３】
第１ボタン部材２１は、円柱状に形成されてハウジング１から上部が露出するボタン部２１ａと、その下部に同様に円柱状に形成されてハウジング１の孔１１に挿入される挿入部２１ｂとを有している。ボタン部２１ａは孔１１の径より大きな径で形成され、挿入部２１ｂとの間に段部２１ｃが周設されている。この段部２１ｃにより、第１ボタン部材２１の孔１１への挿入は規制される。
【００１４】
また挿入部２１ｂの下面には、第２ボタン部材２２を連結するための係合孔２１ｄが凹設されている。この係合孔２１ｄは内部が拡幅形成され、挿入された第２ボタン部材２２と係合する係合段部２１ｅが形成されている。
拡幅形成された内部空間は、挿入された第２ボタン部材２２が、係合した状態で一定量上下に摺動可能に形成されている。
【００１５】
一方、第２ボタン部材２２は、略円柱状に形成されて一端が第１ボタン部材２１に連結される連携部材２３とコイルバネ２４とで構成され、連携部材２３は上部に第１ボタン部材２１の係合孔２１ｄに挿入して連結するための爪片２３ｂが形成された連結部２３ａを有している。
連結部２３ａは、上端から縦方向に中央に至る深さまで直径方向にスリット２３ｃが形成されている。このスリット２３ｃを密着させて縮径することで、第１ボタン部材２１の係合孔２１ｄに挿入可能となっている。係合孔２１ｄに挿入された連携部材２３は、爪片２３ｂが係合段部２１ｅに係合して抜けが防止される。
【００１６】
連携部材２３の下部は拡径されてタクタイルスイッチを押圧する平坦な下面を有する押圧板２３ｄが形成され、この押圧板２３ｄと第１ボタン部材２１との間の第２ボタン部材２３の胴部周囲にコイルバネ２４が外挿されている。また押圧板２３ｄは、孔１１より大きな径で形成され、第１ボタン部材２１と第２ボタン部材２２との連結は、ハウジング１の孔１１を介して行われる。
【００１７】
第１ボタン部材２１と連携部材２３を連結した状態で、コイルバネ２４は常時伸張方向に付勢力を発揮するよう収縮した状態にあり、第１ボタン部材２１と連携部材２３とは常に離間する方向に付勢されている。
そして、コイルバネ２４は、その弾性（復元力）がタクタイルスイッチ３のオン動作圧より大きいものが選択されており、第１ボタン部材２１の押下により、下方に付勢されている連携部材２３がタクタイルスイッチ３を押圧してオン動作させる。
但し、コイルバネ２４は、タクタイルスイッチ３を押下してオン動作させるが、タクタイルスイッチ３に対してその押下力を超えた所定の圧以上の押圧力が加わると収縮し、タクタイルスイッチ３に一定量以上の圧が加わらない弾性を有するものが選択されており、タクタイルスイッチ３の破損を防ぐよう動作する。
【００１８】
このように形成された押しボタンの具体的動作は以下の様である。図２は押しボタンを押下してオン操作した状態の断面説明図であり、この図２を参照して説明する。図２において矢印Ｐは押下方向を示している。
ハウジング１上に露出しているボタン部２１ａを押下すると、タクタイルスイッチ３に接触している第２ボタン部材２２が連動して下方へ移動し、タクタイルスイッチ３をオン操作させる。このときの第２ボタン部材２２の連携部材２３は、タクタイルスイッチ３を押下してオン動作が完了すると移動が停止するが、その後はコイルバネ２４の弾性に抗して第１ボタン部材２１に入り込むことで、第１ボタン部材２１の押下操作は継続して実施できる。
やがて段部２１ｃが孔１１の周囲のハウジング１端部に係合し、第１ボタン部材２１の押下による移動は停止する。この停止した状態が図２の状態である。
【００１９】
尚、第１ボタン部材２１がハウジング１に係止するまでのストロークはタクタイルスイッチ３がオン動作するストロークより大きく設定されている。また、段部２１ｃがハウジング１と係合した状態でも、連携部材２３の連結部２３ａが係合孔２１ｄの天面２１ｆに接触しないよう構成されている。
【００２０】
このように、タクタイルスイッチ３の上部に配置した押しボタン部材２が押下されると没入してタクタイルスイッチ３がオン動作するが、タクタイルスイッチ３に接触する第２ボタン部材２２はタクタイルスイッチ３のオン動作圧を超える一定の圧力を超える力で押下されると収縮する。そのため、第２ボタン部材２２がタクタイルスイッチ３の押圧力を制限し、押しボタン部材２とタクタイルスイッチ３を重ねて最小のスペースで配置しても、タクタイルスイッチ３に一定圧以上のストレスが加わることがなく、タクタイルスイッチ３の破損を防止できる。
また、第１ボタン部材２１の押し込み方向のストロークは、段部２１ｃにより一定量に制限されるため、コイルバネ２４がその弾性範囲を超えて収縮される事態を防止できるし、最小のスペースで押しボタンを組み付けできる。
更に、連携部材２３は第１ボタン部材２１に連結された状態でその押下方向に移動可能なため、コイルバネ２４の収縮を受けて第１ボタン部材２１に入り込むことが可能で、良好に圧力を吸収できる。
また、ハウジング１に形成した孔１１より押圧板２３ｄが大きく形成されているため、押しボタン部材２がハウジング１からの脱落することがない。
【００２１】
尚、上記実施形態では、弾性部材としてコイルバネ２４を使用しているが、板バネを使用しても良い。また、コイルバネ２４を連携部材２３に外挿した構成としたが、連携部材２３の内部に配置して第２ボタン部材２２を構成しても良い。
【産業上の利用可能性】
【００２２】
上記押しボタンスイッチ構造は、漏電遮断器のテストボタンやリセットボタンに適用できるものとして説明したが、内部に配置したタクタイルスイッチを操作するボタン構造として電気機器において幅広く適用できるものである。
【符号の説明】
【００２３】
１・・ハウジング、２・・押しボタン部材、３・・タクタイルスイッチ、１１・・孔、２１・・第１ボタン部材、２１ｃ・・段部、２２・・第２ボタン部材、２３・・連携部材、２３ｄ・・押圧板、２４・・コイルバネ（弾性部材）。
【図１】
2015095410.tif 000003
【図２】
2015095410.tif 000004